【事件の表示】
　平成１１年特許願第２７６３９４号「写真自販機」拒絶査定に対する審判事件［平成１３年　４月１３日出願公開、特開２００１−１００３０４］について、次のとおり審決する。
【結　論】
　本件審判の請求は、成り立たない。
【理　由】
（手続の経緯及び本願発明）
　本願は、平成１１年９月２９日の出願であって、特許請求の範囲の請求項１〜２に係る発明は、平成１４年９月１３日付けの手続補正書により補正された明細書及び図面の記載からみて、その請求項１〜２に記載されたとおりのものと認められるところ、その請求項１に記載された発明（以下、「本願発明」という。）は次のとおりのものである。
　「【請求項１】被写体の写真を撮影して販売する写真自販機であって、上記被写体の全身を俯瞰撮影する第１のカメラと、被写体を略目の高さからアイレベルでバストアップ撮影する第２のカメラと、被写体の全身を仰視する第３のカメラが縦に並べて配置され、上記３台のカメラのうち撮影するカメラを順次切り換えるカメラ選択手段と、上記カメラで撮影された被写体の撮影画像を表示する画像表示手段と、上記撮影画像と他の画像を合成する画像合成手段と、上記画像合成手段で合成された合成画像を印刷する印刷手段とを備え、上記画像表示手段は、上記３台のカメラによる３種類のカメラアングルで撮影された被写体の全身俯瞰画像、バストアップ画像、全身仰視画像をそのつど入れ替えて表示するとともに各撮影画像をリアルタイム表示するようになっており、上記カメラ選択手段は、被写体が上記画像表示手段にリアルタイム表示される撮影画像を見ながら所望のカメラを選択して撮影を行い、このように撮影された撮影画像に対して合成される所望の文字や図形等を入力するタッチペンを備えていることを特徴とする写真自販機。」
（引用例）
　これに対して、当審の拒絶の理由に引用した特開平１１−２３４６０３号公報（以下、「引用例１」という。）には、以下のような記載がある。
イ、被写体に対する角度が異なるように配置された複数の撮影手段と、該複数の撮影手段が撮影した画像をプリントするプリンタ手段とを有することを特徴とする映像プリント供給装置。（特許請求の範囲の請求項１）
ロ、前記複数の撮影手段が被写体を囲むように配置されることを特徴とする、請求項１に記載の映像プリント供給装置。（特許請求の範囲の請求項６）
ハ、前記撮影手段が撮影した１つ又は複数の画像を表示する表示手段を有し、該表示手段上に前記複数の撮影手段が同時に撮影した画像を順次切り替えて表示することを特徴とする、請求項１に記載の映像プリント供給装置。（特許請求の範囲の請求項９）
ニ、カメラ配設部１０には、図２に示すように、撮影手段としての５台のＣＣＤカメラ１１〜１５が配置されている。（第３頁左欄第７〜９行）
ホ、図４は、本実施形態における制御系の構成を示すブロック図である。この図に示すように、５台のＣＣＤカメラ１１〜１５は制御部４０に接続され、映像信号を制御部４０に送信する。・・・また、制御部４０からは各カメラ・・・に制御信号が送られる。さらに、制御部４０からは、表示すべき映像信号がモニタ２に送られ、プリントデータがプリンタ５０に送られる。制御部４０はパソコンに相当する構成とすることができ、ＣＰＵ、ＲＯＭ、ＲＡＭの他に入出力インターフェース等を備える。（第３頁左欄第３１〜４４行）
ヘ、ここで、モニタ画面２には、操作説明の表示の後、どれかのカメラが撮影している映像に切り替えて表示するように構成することもできる。また、モニタ画面２に表示する映像を映すカメラをユーザが指定する（切り替える）ようにしても良い。あるいは、５台のカメラ１１〜１５が現在撮影している映像を順番に切り替えてモニタ画面２に表示するようにしてもよい。（第３頁右欄第２３〜２９行）
ト、一方、モニタ画面２の表示も切り替えられ、モニタ画面２には、５台のカメラ１１〜１５により同時撮影された映像（静止画）が順番に所定の時間間隔で表示される。このモニタ画面２に順次表示される５つの映像は、被写体（ユーザ）を取り囲むように配置された５台のカメラ１１〜１５により同時に撮影された画像であり、すなわち、１つの被写体を同時に異なるカメラアングルで撮影した画像である。（第３頁右欄第４１〜４８行）
チ、１台から５台の任意の台数のカメラでの撮影をユーザが指定できるようにすれば、ユーザが好む画像だけをプリントすることが可能になる。また、その場合、台数の指定だけでなく、どのカメラで撮影（プリント）するかの指定もできることが良い。例えば、２台のカメラで撮影・プリントする場合、カメラ１３と１５を指定してやれば、正面と左側面の絵（被写体の画像）をプリントすることができる。また、カメラ１２と１４を指定してやれば、右斜め及び左斜めの絵を得ることができる。もちろん、３台、４台のカメラを指定した場合も同様である。（第４頁右欄第６〜１６行）
リ、そして、タイトル文字や背景画像などの付加画像供給機能を内蔵し、撮影した画像との合成を可能に構成してやれば、本発明による疑似動画画像あるいは非現実画像に従来のプリントクラブと同様の背景画像をプラスして、更に面白い画像を供給することが可能となる。（第４頁右欄第２４〜２９行）
ヌ、本実施形態では、被写体の画像と背景画像（予め装置内に格納されているタイトル文字や図柄等）とを合成する場合、図示しない背景画像供給装置から供給される背景画像と各カメラが撮影する画像とを図示しない合成器により合成し、その合成された画像をモニタ・ディスプレイ２に表示する。もちろん、５台のカメラが撮影した画像をすべて一緒に背景画像と合成するわけではなく、順次各カメラの画像と背景画像とを合成するものである。合成の有無をユーザが指定できるようにしても良い。あるいは、合成に使用するカメラをユーザが指定するようにしても良い。この場合、本実施形態では最大５つの合成画像が得られることになる。
【００３４】被写体であるユーザは、自分の画像と背景画像が合成されたモニター画面を、ハーフミラー８を介して視認することになる。そして、そのモニター画面を確認しながら、背景画像内における自分のポーズや構図を決定し、操作パネル３に設けられた撮影ボタン（図示せず）を押す。これによって５台のカメラが同時に撮影を実行し、前記実施形態と同様、撮影した５枚の画像（静止画）を順番に所定の時間間隔でモニタ・ディスプレイ２に表示する。（第５頁左欄第１５〜３５行）
ル、以上説明したように、本発明の映像プリント供給装置によれば、異なるカメラアングルで撮影した画像をプリントして供給することができるので、従来のものに比べて面白味のあるプリントを供給することができる。（第５頁右欄第１２〜１６行）
ヲ、請求項６の構成により、複数の撮影手段が被写体を囲むように配置されるので、被写体を様々な角度から撮影して被写体の多様な側面を撮影することができる。（第５頁右欄第３１〜３４行）
ワ、上記イ、〜ヲ、の記載からみて、引用例１には、被写体の写真を撮影して販売する映像プリント供給装置であって、上記被写体を撮影するＣＣＤカメラ１１〜１５が横に並べて配置され、上記５台のカメラのうち撮影するカメラを順次切り換える制御部４０と、上記カメラで撮影された被写体の撮影画像を表示するモニタ・ディスプレイ２と、上記撮影画像と他の画像を合成する合成器と、上記画像合成手段で合成された合成画像を印刷するプリンタ５０とを備え、上記モニタ・ディスプレイ２は、上記５台のカメラによる５種類のカメラアングルで撮影された被写体の画像をそのつど入れ替えて表示するとともに各撮影画像をリアルタイム表示するようになっており、上記制御部４０は、被写体が上記モニタ・ディスプレイ２にリアルタイム表示される撮影画像を見ながら所望のカメラを選択して撮影を行う映像プリント供給装置、が開示されている。
　同じく引用した登録実用新案公報第３０４９５５３号（以下、「引用例２」という。）には、「２は正面モニタであって、該正面モニタ２は、前記予め登録された背景イメージから選択されたものと、内蔵ＣＣＤカメラによって映し出された被写体５の撮影像との合成映像を所定のフレーム枠内に表示するようになっており、」（第５頁第２１〜２３行）、「なお、本実施例では補助カメラ４の角度調整を左右方向について示したが、これに限定されるものではなく、アーム３を伸縮自在に構成して前後方向移動可能にすることも、上下方向に移動または首振り回動自在にして角度調整や高さ調整可能な構成にすることも任意である。」（第６頁第７〜１０行）及び「撮影者５が横向きの顔を撮影したいときには操作部１０に設けられた切換スイッチ等を操作することにより、この横顔撮影用に増設した補助カメラ４を主カメラと切換えて動作させることにより、正面モニタ２にその補助カメラからの撮影画像を表示させることができるから、従来の如く横目で正面モニタ２を確認したり、横を向いた際に映像がずれたり、また斜め横顔を撮影した際にも目線が合わず不自然となることもなくなり、背景イメージと自身の正面以外の横を向いたポーズとのマッチングを直視して確認することができる。」（第７頁第９〜１６行）との記載がある。
  同じく引用した特開平１０−１０８１１２号公報（以下、「引用例３」という。）には、「撮像手段で撮像した動画を映像メモリに格納し、映像データとして映像表示手段に出力した後に、映像表示手段の画面に対して座標入力手段を直接操作することにより、データ書き込みをしたい位置に任意の静止画像データや図形データを入力することができる。また、座標入力装置の操作にて操作メニューを選択し、静止画像データを呼び出し、任意の位置にデータ書き込みを行うこともできるため、時間を要する例えばアニメやキャラクターデザインなどの複雑な図形データ書き込みも容易に行うことができる。」（第３頁左欄第２７〜３６行）及び「落書き画面４５では、映像メモリ１４に取り込まれた映像データに液晶タブレット５の座標入力装置（ペン）を用いて任意のデータ書き込みすると方法と、ハードディスク１１にメモリされた静止画像データを貼り付けることでデータ書き込みする方法とがある。画面の左に表示されている「えんぴつ」を選択すると、ウインドウ４５ｂに表示された映像データにフリーハンドによる任意の書き込みをすることができる。「スタンプ」を選択すると、画面下方に表示されている複雑なアニメやキャラクターデザインを図形化した画像４５ａをペンで選択して所望の位置に貼り付けることができる。」（第５頁左欄第３１〜４１行）との記載がある。
　同じく引用した登録実用新案公報第３０６２１９２号（以下、「引用例４」という。）には、「カメラ２は、被写体１０の頭部から足部までの全身を含む画像を撮影可能な視野を持っているが、この実施形態のカメラ２は操作兼画像表示パネル３からの指示操作に応じて移動枠２Ａの中で 上下方向の所望の位置に移動可能に構成され、頭部方向から見下ろした被写体画像あるいは頭部方向を見上げた被写体画像を撮影可能に構成されている。」（第９頁第２〜６行）との記載がある。
（対比・判断）
　本願発明と引用例１に記載された発明とを対比すると、後者の「映像プリント供給装置」、「ＣＣＤカメラ１１〜１５」、「制御部４０」、「モニタ・ディスプレイ２」、「合成器」、「プリンタ５０」は、夫々前者の「写真自販機」、「カメラ」、「カメラ選択手段」、「画像表示手段」、「画像合成手段」、「印刷手段」に相当するから、両者は、被写体の写真を撮影して販売する写真自販機であって、上記被写体を撮影する複数のカメラが並べて配置され、上記複数のカメラのうち撮影するカメラを順次切り換えるカメラ選択手段と、上記カメラで撮影された被写体の撮影画像を表示する画像表示手段と、上記撮影画像と他の画像を合成する画像合成手段と、上記画像合成手段で合成された合成画像を印刷する印刷手段とを備え、上記画像表示手段は、上記複数のカメラによる複数種類のカメラアングルで撮影された被写体の画像をそのつど入れ替えて表示するとともに各撮影画像をリアルタイム表示するようになっており、上記カメラ選択手段は、被写体が上記画像表示手段にリアルタイム表示される撮影画像を見ながら所望のカメラを選択して撮影を行う写真自販機、で一致し、
Ａカメラの台数が、前者は、３台であるのに対して、後者は、５台である点、
Ｂカメラの並べ形が、前者は、縦であるのに対して、後者は、横である点、
Ｃ撮影される画像が、前者は、全身俯瞰画像、バストアップ画像、全身仰視画像であるのに対して、後者は、５種類のカメラアングルで撮影された被写体の画像である点、
Ｄ前者は、撮影画像に対して合成される所望の文字や図形等を入力するタッチペンを備えているのに対して、後者は、そのような記載が無い点で相違する。
　そこで先ず、相違点Ａについて検討すると、カメラの台数をどのぐらいにするかというようなことは、当業者が適宜決定できる単なる設計変更に過ぎない。
  次に、相違点Ｂについて検討すると、一般に、カメラが複数台あるときに、それらを、どのように並べるかというようなことは、当業者が適宜決定できる設計的な事項に過ぎない。そして、引用例１には、カメラを横に並べることが開示され、「被写体に対する角度が異なるように配置された複数の撮影手段」（上記イ、）と記載されているから、当業者であれば、これらの開示および記載に基づいて、「横」から「縦」を推考するようなことは容易になし得ると言え、また、そのことによって格別顕著な作用効果が生ずるものでもない。
  次に、相違点Ｃについて検討すると、一般に、通常のカメラで人物を撮影する際に、カメラアングルを選択し、全身俯瞰画像、バストアップ画像、全身仰視画像等を得られるように撮影する方法は、従来周知の手段に過ぎない。また、写真自販機の分野においても、被写体を撮影する際に、カメラアングルを選択するようなことは、従来周知（例えば、上記引用例２の補助カメラ４の角度調整や高さ調整が可能であり、上記引用例４のカメラ２は、頭部方向から見下ろした被写体画像あるいは頭部方向を見上げた被写体画像を撮影可能であり、特開平１０−２３９７６０号公報には、「上記実施例では、カメラ３２を垂直及び水平方向で首振りさせるとともに、昇降部４９によりカメラ３２の高さも調整したが、本発明はこれに限定されることなく、垂直及び水平方向での首振りのみや、カメラ３２の高さ調整だけを行うようにしてもよい。更には、カメラ３２の高さ調整と垂直方向又は水平方向での首振りとを行うようにしてもよい。」（第８欄第４４〜５０行）と記載され、特開平１１−１６０７８５号公報には、「撮像手段３には、複数のＣＣＤカメラ２０３ａ、２０３ｂ、２０３ｃ、２０３ｄ、２０３ｅが用いられる。これらは異なる撮像角度を有し、被写体１７を様々な角度から撮像する。」（第１１欄第４０〜４４行）と記載され、図２からは、複数のＣＣＤカメラ２０３ａ、２０３ｂ、２０３ｃ、２０３ｄ、２０３ｅが、被写体１７を下から撮像している様子が窺える。）の技術手段に過ぎない。
　そして、上記相違点ＡおよびＢの構成をとれば、当然に、相違点Ｃの構成が得られるものである。
  最後に、相違点Ｄについて検討すると、引用例３に「ペン」を用いることが開示されている。
　そして、引用例１と引用例３とは、技術分野が同じであるから、引用例１に引用例３に開示された技術を適用することは、当業者なら容易になし得ると言え、当該適用によって格別顕著な作用効果が生ずるものでもない。
（むすび）
　以上のとおり、本願発明は、引用例１、引用例３及び周知技術に基いて当業者が容易に発明をすることができたものであるから、特許法第２９条第２項の規定により特許を受けることができない。
  よって、結論のとおり審決する。